(57)【要約】【課題】  幅広いニーズにあったデータを収集する手段とそれを利用者が入手する機会を併せ持った、利用者が積極的に参加するコミュニティを形成し、円滑に運営するための手段を提供すること。【解決手段】データ提供者及びデータ利用者参加型のコミュニティを運営するためのシステムであって、コミュニティを提供する管理者端末Ｃが、データ利用者の手元にあるデータ利用者端末Ａ、及びデータ提供者の手元にあるデータ提供者端末Ｂと有線又は無線で接続されており、管理者端末Ｃは、データ利用者の希望するデータをデータ利用者のデータ利用者端末Ａへ送信する利用データ検索送信手段１１と、データ提供者の提供するデータをデータ提供者のデータ提供者端末Ｂから受信する提供データ取込手段１３と、コミュニティ利用料及びデータ提供に対する対価を決定する請求・支払額決定手段１５と、を備えることを特徴とする。【選択図】図１
2005293216.tif 000002
【特許請求の範囲】
【請求項１】
データ提供者及びデータ利用者参加型のコミュニティを運営するためのシステムであって、コミュニティを提供する管理者端末が、データ利用者の手元にあるデータ利用者端末、及びデータ提供者の手元にあるデータ提供者端末と有線又は無線で接続されており、
前記管理者端末は、データ利用者の希望するデータを該データ利用者のデータ利用者端末へ送信する利用データ検索送信手段と、
データ提供者の提供するデータを該データ提供者のデータ提供者端末から受信する提供データ取込手段と、
コミュニティ利用料及びデータ提供に対する対価を決定する請求・支払額決定手段と、
を備えることを特徴とするコミュニティ運営システム。
【請求項２】
データが１つまたはそれ以上蓄積されているデータ用データベースを更に備えることを特徴とする請求項１記載のコミュニティ運営システム。
【請求項３】
前記利用データ検索送信手段は、データ利用者の希望するデータを、前記データ用データベースから検索抽出することを特徴とする請求項２記載のコミュニティ運営システム。
【請求項４】
前記提供データ取込手段は、データ提供者の提供するデータを、前記データ用データベースに登録することを特徴とする請求項２又は３記載のコミュニティ運営システム。
【請求項５】
前記データをデータ用データベースに登録する際には、データに原著作者追跡情報を付与する請求項４記載のコミュニティ運営システム。
【請求項６】
データ利用者ごとの個人情報を蓄積する利用者用データベースを更に備えることを特徴とする請求項１〜５のいずれかに記載のコミュニティ運営システム。
【請求項７】
前記利用データ検索送信手段は、データ利用者端末Ａへデータを送信するに当たり、データ利用者が本コミュニティを既に利用したことがあるか否かを前記データ利用者用データベースにおいてチェックする請求項６記載のコミュニティ運営システム。
【請求項８】
前記利用データ検索送信手段は、本コミュニティを初めて利用するデータ利用者の個人情報を前記利用者用データベースに書き込む請求項７記載のコミュニティ運営システム。
【請求項９】
データ提供者ごとの個人情報を蓄積する提供者用データベースを更に備えることを特徴とする請求項１〜８のいずれかに記載のコミュニティ運営システム。
【請求項１０】
前記提供データ取込手段は、本コミュニティを初めて利用するデータ提供者の個人情報を前記提供者用データベースに書き込む請求項９記載のコミュニティ運営システム。
【請求項１１】
前記提供データ取込手段は、データ利用者がデータ提供者でもある場合は、前記データ利用者用データベースに蓄積されたその提供者の個人情報を、前記データ提供者用データベースに新たに蓄積する請求項１０記載のコミュニティ運営システム。
【請求項１２】
前記請求・支払額決定手段は、データ利用者がデータ提供者でもある場合に、該データ利用者のデータ利用料と相殺する請求項１１記載のコミュニティ運営システム。
【請求項１３】
前記提供データ取込手段は、受信したデータが本コミュニティで扱うに適した種類のデータか否かを審査する請求項１〜１２のいずれかに記載のコミュニティ運営システム。
【請求項１４】
データ利用者が、該利用者のデータ利用者端末に対し送信したデータを利用して作成した作成データを受信し、該作成データを提供したデータ提供者端末へ転送する作成データ処理手段を更に備えることを特徴とする請求項１〜１３のいずれかに記載のコミュニティ運営システム。
【請求項１５】
前記作成データ処理手段は、受信したデータが送信したデータを利用して作成されたものであるか否かを審査する請求項１４記載のコミュニティ運営システム。
【請求項１６】
前記作成データ処理手段は、データ利用者が本コミュニティを既に利用したことがあるか否かを前記データ利用者用データベースにおいてチェックする請求項１４又は１５記載のコミュニティ運営システム。
【請求項１７】
前記作成データ処理手段は、作成データを受け付けるにあたり、データ利用者が本コミュニティを既に利用したことがあるか否かを前記データ利用者用データベースにおいてチェックする請求項１４〜１６のいずれかに記載のコミュニティ運営システム。
【請求項１８】
作成データを蓄積する作成データ用データベースを更に設けることを特徴とする請求項１４〜１７のいずれかに記載のコミュニティ運営システム。
【請求項１９】
前記作成データ処理手段は、処理した作成データを、それを提出したデータ利用者を特定する情報と共に、前記作成データ用データベースに保存する請求項１８記載のコミュニティ運営システム。
【請求項２０】
データ提供者が、転送された作成データを基に集計した集計データを受信し、該集計データをデータ利用者端末へ転送する集計データ処理手段を更に備えることを特徴とする請求項１〜１９のいずれかに記載のコミュニティ運営システム。
【請求項２１】
請求・支払額決定手段は、対価決定の際、原著作者追跡情報の有無を考慮して対価を決定する請求項５〜２０のいずれかに記載のコミュニティ運営システム。
【請求項２２】
請求・支払額決定手段は、原著作者追跡情報がある場合は、原著作者であるデータ提供者に対しての対価をも決定する請求項２１記載のコミュニティ運営システム。
【発明の詳細な説明】
【技術分野】
【０００１】
本発明は、コミュニティ運営システムに関し、詳しくは、データ提供者及びデータ利用者参加型のコミュニティを運営するためのシステムに関する。
【背景技術】
【０００２】
近年、情報技術が著しく進展したことにより、ネット上での情報交換は活発化、その手段も多様化しており、データを入手する利用者の、より自分のニーズに近いデータを入手したいという期待は強くなってきている。
情報交換の一手段としては、複数のユーザがログインして擬似的な社会活動すなわちコミュニケーションを行うことによって仮想的に構築される「コミュニティ」を作り、そこで情報を交換することがある。
【０００３】
このようなコミュニティは無料であるか、あるいは、コミュニティを利用する利用者には、例えば月額固定制あるいは従量制で利用料金が課されている。
しかしながら、利用料が高いと、利用者数が減少するおそれがある。したがって、ユーザ数の減少を招かないコミュニティサービスが求められていた。
【０００４】
このような問題点を解決するものとして、特許文献１には、ネットワークを介して接続される複数のユーザ端末と、相互に情報を授受するコミュニティサービス提供方法であって、前記ユーザ端末に対して、共有仮想空間に関する共有データを提供する共有データ提供ステップと、前記共有仮想空間にコンテンツ情報を展示した特権ユーザに対し、当該コンテンツ情報の掲載に対する料金を課金する課金ステップとを備えることを特徴とするコミュニティサービス提供方法が記載されている。
しかし、この方法では、利用者にとってコミュニティに積極的に参加する動機づけがないため、各利用者が持つ能力、例えば、新たにデータを作成する能力、既存のデータを改良する能力、評価する能力といったものを、十分に活用しきれなくなる恐れがあった。
【特許文献１】特開２００２−２７９２８４号公報
【発明の開示】
【発明が解決しようとする課題】
【０００５】
本発明は、幅広いニーズにあったデータを収集する手段とそれを利用者が入手する機会を併せ持った、利用者が積極的に参加するコミュニティを形成し、円滑に運営するための手段を提供することを目的とする。
【課題を解決するための手段】
【０００６】
本発明者らは、コミュニティ利用料をデータ提供の対価により相殺できるように価格設定を行うことにより、上記目的を解決できることを見出し、本発明に到達した。
【０００７】
請求項１記載の本発明は、データ提供者及びデータ利用者参加型のコミュニティを運営するためのシステムであって、コミュニティを提供する管理者端末が、データ利用者の手元にあるデータ利用者端末、及びデータ提供者の手元にあるデータ提供者端末と有線又は無線で接続されており、管理者端末は、データ利用者の希望するデータを該データ利用者のデータ利用者端末へ送信する利用データ検索送信手段と、データ提供者の提供するデータを該データ提供者のデータ提供者端末から受信する提供データ取込手段と、コミュニティ利用料及びデータ提供に対する対価を決定する請求・支払額決定手段と、を備えることを特徴とするコミュニティ運営システムを提供するものである。
【０００８】
請求項２に記載するコミュニティ運営システムは、請求項１において、データが１つまたはそれ以上蓄積されているデータ用データベースを更に備えることを特徴とする。
請求項３に記載するコミュニティ運営システムは、請求項２において、利用データ検索送信手段は、データ利用者の希望するデータを、データ用データベースから検索抽出することを特徴とする。
請求項４に記載するコミュニティ運営システムは、請求項２又は請求項に３おいて、提供データ取込手段は、データ提供者の提供するデータを、データ用データベースに登録することを特徴とする。
請求項５に記載するコミュニティ運営システムは、請求項４において、データをデータ用データベースに登録する際には、データに原著作者追跡情報を付与することを特徴とする。
【０００９】
請求項６に記載するコミュニティ運営システムは、請求項１〜５のいずれかにおいて、データ利用者ごとの個人情報を蓄積する利用者用データベースを更に備えることを特徴とする。
請求項７に記載するコミュニティ運営システムは、請求項６において、利用データ検索送信手段は、データ利用者端末Ａへデータを送信するに当たり、データ利用者が本コミュニティを既に利用したことがあるか否かをデータ利用者用データベースにおいてチェックすることを特徴とする。
請求項８に記載するコミュニティ運営システムは、請求項７において、利用データ検索送信手段は、本コミュニティを初めて利用するデータ利用者の個人情報を利用者用データベースに書き込むことを特徴とする。
【００１０】
請求項９に記載するコミュニティ運営システムは、請求項１〜８のいずれかにおいて、データ提供者ごとの個人情報を蓄積する提供者用データベースを更に備えることを特徴とする。
請求項１０に記載するコミュニティ運営システムは、請求項９において、提供データ取込手段は、本コミュニティを初めて利用するデータ提供者の個人情報を提供者用データベースに書き込むことを特徴とする。
請求項１１に記載するコミュニティ運営システムは、請求項１０において、提供データ取込手段は、データ利用者がデータ提供者でもある場合は、データ利用者用データベースに蓄積されたその提供者の個人情報を、データ提供者用データベースに新たに蓄積することを特徴とする。
請求項１２に記載するコミュニティ運営システムは、請求項１１において、請求・支払額決定手段は、データ利用者がデータ提供者でもある場合に、該データ利用者のデータ利用料と相殺することを特徴とする。
【００１１】
請求項１３に記載するコミュニティ運営システムは、請求項１〜１２のいずれかにおいて、提供データ取込手段は、受信したデータが本コミュニティで扱うに適した種類のデータか否かを審査することを特徴とする。
請求項１４に記載するコミュニティ運営システムは、請求項１〜１３のいずれかにおいて、データ利用者が、該利用者のデータ利用者端末に対し送信したデータを利用して作成した作成データを受信し、該作成データを提供したデータ提供者端末へ転送する作成データ処理手段を更に備えることを特徴とする。
請求項１５に記載するコミュニティ運営システムは、請求項１４において、作成データ処理手段は、受信したデータが送信したデータを利用して作成されたものであるか否かを審査することを特徴とする。
請求項１６に記載するコミュニティ運営システムは、請求項１４又は１５において、作成データ処理手段は、データ利用者が本コミュニティを既に利用したことがあるか否かをデータ利用者用データベースにおいてチェックすることを特徴とする。
請求項１７に記載するコミュニティ運営システムは、請求項１４〜１６のいずれかにおいて、作成データ処理手段は、作成データを受け付けるにあたり、データ利用者が本コミュニティを既に利用したことがあるか否かをデータ利用者用データベースにおいてチェックすることを特徴とする。
請求項１８に記載するコミュニティ運営システムは、請求項１４〜１７のいずれかにおいて、作成データを蓄積する作成データ用データベースを更に設けることを特徴とする。
請求項１９に記載するコミュニティ運営システムは、請求項１８において、作成データ処理手段は、処理した作成データを、それを提出したデータ利用者を特定する情報と共に、作成データ用データベースに保存することを特徴とする。
請求項２０に記載するコミュニティ運営システムは、請求項１〜１９にいずれかにおいて、データ提供者が、転送された作成データを基に集計した集計データを受信し、該集計データをデータ利用者端末へ転送する集計データ処理手段を更に備えることを特徴とする。
請求項２１に記載するコミュニティ運営システムは、請求項５〜２０のいずれかにおいて、請求・支払額決定手段は、対価決定の際、原著作者追跡情報の有無を考慮して対価を決定することを特徴とする。
請求項２２に記載するコミュニティ運営システムは、請求項２１において、請求・支払額決定手段は、原著作者追跡情報がある場合は、原著作者であるデータ提供者に対しての対価をも決定することを特徴とする。
【発明の効果】
【００１２】
本発明のコミュニティ運営システムにより、データ提供者及びデータ利用者参加型のコミュニティを、円滑に運営することができる。さらに、データ利用者にデータ提供の機会を与えることができ、積極的動機を与え、本コミュニティへの参加を促進することが期待できる。
【発明を実施するための最良の形態】
【００１３】
本発明のコミュニティ運営システムは、データ提供者及びデータ利用者参加型のコミュニティを運営するためのシステムである。データ提供者とは、コミュニティで利用するデータを提供する者を意味し、またデータ利用者とは、コミュニティに提供されたデータを利用する者を意味する。個人であっても大口であっても良い。
【００１４】
データとしては、コミュニティ利用者の利用目的に叶うものであれば、特に限定されないが、センター試験、司法試験、ロシア語検定などの学習用教材のデータ（ソフト）、ゲームソフト、音楽ソフトなどを挙げることができる。中でも、入試、各種資格試験等のためのレジュメその他資料や模擬試験問題などを含む学習用教材が好適に挙げられる。
データとして学習用教材を取り扱う受験コミュニティの場合、データ利用者は、例えば、入試、各種資格試験等のための学習を志す学生や社会人などを意味することとなり、また、データ提供者は、学習用教材の作成、提供及びこれらを利用した評価できる教師、塾講師、大学教授、有資格者その他の専門家の他、受験勉強中の学習者をも意味することとなる。
【００１５】
本システムは、図１に示すように管理者端末Ｃ、データ利用者端末Ａ、及びデータ提供者端末Ｂとからなる。
管理者端末Ｃは、コミュニティを提供する端末を意味し、通常は、コミュニティの管理者の手元にある。管理者端末Ｃは、データ利用者端末Ａ、及びデータ提供者端末Ｂと有線又は無線（例えば、インターネットなどのネットワーク）で接続されている。
データ利用者端末Ａは、データ利用者の手元にある端末を意味し、データ提供者端末Ｂは、データ提供者の手元にある端末を意味する。これらのデータ利用者端末Ａ及びデータ提供者端末Ｂは、パソコン等のコンピュータにより実現される。
管理者端末Ｃは、図１に示すように、利用データ検索送信手段１１、提供データ取込手段１３、請求・支払額決定手段１５を備えている。ここで、データの利用や提供を円滑なものとするためには、データ用データベース２１を設けることが好ましい。また、データ利用者やデータ提供者の個人情報の管理を円滑に行うためには、データ利用者用データベース２３やデータ提供者用データベース２５をそれぞれ設けることが好ましい。更に、データをもとに作成したデータのやり取りや、作成データを集計して得られる集計データのやり取りを円滑にし、本コミュニティの運営を援助するものとして、作成データ処理手段３１、作成データ用データベース３３及び集計データ処理手段３５を設けることが好ましい。
なお、前記データ利用者用データベース２３及びデータ提供者用２５は、一つのコミュニティ参加者データベースとしてまとめることもできる。
【００１６】
本発明において、利用データ検索送信手段１１とは、データ利用者の希望するデータを該データ利用者のデータ利用者端末Ａへ送信する手段をいう。
データ利用者の希望するデータは、データ用データベース２１から検索抽出することができる。ここで、データ名の確認は、データ利用者がデータ利用者端末Ａからデータを特定するための情報（例えばデータ名リスト）から知ることができるが、利用データ検索送信手段１１が、データ用データベース２１から検索可能なデータを、利用者がそれらのうちの１つ又はそれ以上を選択可能に提示しておくことが好ましい。例えば、資格試験コミュニティとしてのホームページにおいて、利用者が利用したい用途（「大学受験」、「高校受験」など）を指定するための画面や、該データ利用者が前記画面で指定した用途に合致したデータ（例えば、「大学受験」の場合、センター試験、私大、国立大二次試験、英語等の単科教材などの他、初級、中級、上級等の各学習用教材）をダウンロード可能に提示する画面を提示して行うことができる。
前者の画面の例としては、本コミュニティが取り扱う大学受験用、及び私大受験用教材が選択可能に表示される画面（図２参照）などがある。
また、後者の画面の例としては、例えば、前記画面で「大学受験」を選択したケースをとると、高校受験用の学習用教材として、「センター試験用数学」、「私大理系用数学」、「国立大文系用古文」・・・などの学習用教材のリスト、「○○大学などの過去問を含めた３０問と模擬試験２回分が含まれています。」などの各教材の簡単な内容、及び「４．５ＭＢ」などの各教材のサイズ、利用料金、利用条件などを示す画面（図３参照）などを挙げることができる。
【００１７】
利用データ検索送信手段１１は、データ利用者端末Ａへデータを送信するに当たり、データ利用者が本コミュニティを既に利用したことがあるか否かをデータ利用者用データベース２３においてチェックすることにより、データ利用者のコミュニティへの参加状況を管理することができるので、本システムにおいて採用することが好ましい。
チェックの方法は特に限定されないが、例えば、既利用者にＩＤを付与しておき、データ利用の際（例えば、ダウンロードの際）、ＩＤ入力画面を提示して、これにＩＤを入力させることによりチェックすることが可能である。
また、本コミュニティを初めて利用するデータ利用者の場合、利用データ検索送信手段１１は、そのデータ利用者の個人情報を後述の利用者用データベース２３に書き込む（登録する）ことが好ましい。個人情報の検索は、例えば資格試験コミュニティとしてのホームページにおいて、ＩＤ入力画面において個人情報をも入力可能とし、該画面に利用者端末Ａから入力された個人情報を検索して利用者用データベース２３へ書き込む（登録する）ものとすることができる。
なお、ＩＤ入力画面と共に、ＩＤや個人情報の確認後にその旨を提示するための画面をも提示することが好ましい。
【００１８】
利用データ検索送信手段１１は、データ利用者端末Ａへのデータ送信を確認するための画面、例えば、「完了しました」のメッセージを提示する画面を提供することが好ましい。
更に、本システムが提供するコミュニティのメイン画面を、利用者端末Ａや提供者端末Ｂに提供する役割を、利用データ検索送信手段１１が担っても良い。このようなメイン画面は、例えば、タイトル「受験コミュニティ」とともに、学習用教材の入手（いわゆるデータ利用）、学習用教材の提供（いわゆるデータ提供）、模擬試験答案提出（作成データ提出）、及び集計データ提出のいずれかを選択できる画面（図４参照）とすることができる。
【００１９】
本発明において、提供データ取込手段１３とは、データ提供者の提供するデータを該提供者端末Ｂから受信する手段をいう。
データ提供者の提供するデータは、データ用データベース２１に登録されることが好ましい。また、データを新たに蓄積する際には、原著作者保護のため、原著作者追跡情報を付与することが好ましい。原著作者追跡情報を付与することにより、原著作者であるデータ提供者は、二次著作物公開の許可・不許可を設定し、これを修正したデータを提供したデータ提供者は、原作であるデータのデータ提供者（交渉権者）の同意を得た上で登録され、後述するように、内容によっては、対価は原作であるデータの提供者にも支払われることになる。
【００２０】
提供データ取込手段１３は、受信したデータが本コミュニティで扱うに適した種類のデータか否かを審査することが好ましい。このような審査は、例えば受験コミュニティの場合、学習用教材とは全く関係のないデータではないかどうか、また、学習用教材ではあるが、明らかに内容的な不備があるかどうか、といったものである。
また、データに原著作者追跡情報を付与する場合には、その内容、例えば、既に蓄積されているデータを修正したものを提供したかどうかを解析して、コピーの度合いが過ぎるものや、他者の著作権を侵害してしまう複製といったものについては受け入れを拒否することが好ましい。
【００２１】
提供者端末Ｂから受信したデータは、例えば、請求・支払額決定手段１５が対価を決定する前又は後に、後述するデータ用データベース２１に新たに蓄積することが好ましい。
提供データ取込手段１３は、データ提供者端末Ｂからデータを受信するに当たり、データ提供者が本コミュニティを既に利用したことがあるか否かをデータ提供者用データベース２５及びデータ利用者用データベース２３においてチェックすることにより、データ提供者のコミュニティへの参加状況を管理することができると共に、請求・支払額の算出を円滑に行うことができるので、好ましい。
チェックの方法は特に限定されないが、例えば、既提供者にＩＤを付与しておき、データ提供の際に入力させることによりチェックすることが可能である。
【００２２】
また、本コミュニティを初めて利用するデータ提供者の場合、提供データ取込手段１３は、そのデータ提供者の個人情報を後述の提供者用データベース２５に書き込むことが好ましい。個人情報の検索は、ＩＤ入力画面を提供し、ここに個人情報を入力可能として、該画面に利用者端末Ａから入力された個人情報を検索して提供者用データベース２５へ書き込むものとすることができる。
なお、ＩＤ入力画面と共に、ＩＤや個人情報の確認後にその旨を提示するための画面をも提示することが好ましい。
【００２３】
更に、データ利用者がデータ提供者でもある場合は、提供データ取込手段１３は、データ利用者用データベース２３に蓄積されたその提供者の個人情報を、データ提供者用データベース２５に新たに蓄積することが好ましい。
データ利用者がデータ提供者でもある場合とは、例えば、今まで本コミュニティから学習用教材を提供してもらっていた受験勉強中の学習者が、自己学習用に作成した問題や解答、レジュメ、ファイルなどの資料をデータとして本コミュニティに提供する場合である。このデータ提供者は、前記の参加料と相殺するなどしてその見返りを得ることができる。
【００２４】
尚、提供データ取込手段１３は、データ提供者に対し処理の進行度合いを知らせるために、提供者端末Ｂからの送信を指示するための第一の画面や、データ受信が完了したこと及びデータの内容の確認中であること及び確認が終了したことを示す第二の画面を提供することが好ましい。例えば、第一の画面としては、「データをお送りください。」のメッセージを提示する画面を挙げることができ、第二の画面としては、「完了しました。データの内容を検討中です。」のメッセージを表示する画面、及び「本データは、受け付けることができません。」のメッセージを提示する画面などを挙げることができる。
【００２５】
本発明において、請求・支払額決定手段１５とは、コミュニティ利用料及びデータ提供、評価などの積極的な参加に対する対価を決定する手段をいう。
コミュニティ利用料とは、データのダウンロード、後述する作成データの転送、後述する集計データの転送その他本コミュニティの利用に関する一連の手数料を意味する。例えば受験コミュニティの場合、学習用教材のダウンロードの手数料、答案採点料、成績算出料等を意味するものとなる。このようなデータ利用料は、データ利用者のコミュニティへの参加を促進し、固定客からの継続的な収入を狙う点から低額で短期間支払型とすることが好ましい。
【００２６】
請求・支払額決定手段１５は、本コミュニティを初めて利用するデータ利用者の場合、該利用者に対し、利用料が加算されることを確認することが好ましい。例えば、利用料確認の画面を提供することにより確認することができ、具体的には、「本コミュニティの利用料は、月額３００円となっております。本コミュニティに入会されますと、ご希望のソフトがダウンロード可能です。入会されますか？」のメッセージを示す画面を提示することができる。
【００２７】
一方、データ提供に対する対価とは、データの提供、後述する集計データの作成その他本コミュニティにおけるデータ提供に関する一連の対価を意味する。例えば受験コミュニティの場合、学習用教材の提供、答案採点、成績算出に対する対価を意味するものとなる。
データ提供に対する対価は、そのデータの内容や、どの程度の需要が見込めるかどうかにより、本管理者側で一方的に決定することも出来るし、データ提供者に先に希望の対価（単価）を提示させて、その妥当性を判断するなど、データ提供者との交渉により適宜設定、変更することもできる。
このような対価のうち、データの提供に対する対価は、データ利用料と相殺する額とすると、本コミュニティの運営に要する費用を節減できる面からも、好ましい。
請求・支払額決定手段１５は、対価決定の際、原著作者追跡情報の有無を考慮して対価を決定することができ、原著作者の充分な保護を図るため、原著作者追跡情報がある場合は、原著作者であるデータ提供者に対しての対価をも決定することが好ましい。
【００２８】
また、データ利用者がデータ提供者でもある場合は、請求・支払額決定手段１５は、該データ利用者のデータ利用料と相殺すると、コミュニティ利用料（契約更新コスト）を下げることができるので、好ましい。
相殺の一例としては、例えば、データ利用料が３００円／月のところを、２００円／月に減額或いは免除したり、更に、コミュニティ運営者からの支払いを行っても良い。
【００２９】
請求・支払額決定手段１５は、データ提供の際、或いは作成データ送信の際、提供者端末Ｂに対し、対価算出中であることを伝えたり、算出した対価を確認したり、対価の振込み予定を知らせるために適当な画面を提示することができる。データ提供の際は例えば、「コミュニティによる買い上げを希望されますか？」のメッセージを表示する画面、「この対価ではお引き受けできません。」のメッセージを表示する画面、「対価算出中です。」のメッセージを表示する画面、「△△円となりますが、宜しいでしょうか？」のメッセージを表示する画面、「コミュニティ利用料が△◆円に減額されますが、宜しいでしょうか？」のメッセージを表示する画面、「△△円を銀行口座○○に□月◆日までにお振込みします」のメッセージを提示する画面を表示することができる。また、作成データ送信の際は例えば、「データ提供に対する対価△△円は一件あたり○○円となりますが、宜しいでしょうか？」のメッセージを表示する画面を提示することができる。
【００３０】
データ用データベース２１には、データが１つまたはそれ以上蓄積されている。データの定義については上述した通りであり、コミュニティ利用者の利用目的に叶うものであれば、特に限定されないが、学習用教材データ（ソフト）、ゲームソフト、音楽ソフトなどのソフトを好ましく挙げることができる。中でも、入試、各種資格試験等のためのレジュメその他資料や模擬試験問題などを含む学習用教材が好ましい。
データ用データベース２１は、データと共に、原著作者追跡情報の他、該データ提供に対する対価、該データの利用履歴（利用者名及び利用時間）及び該データの提供者を特定できる情報をも蓄積することが好ましい。
データが学習用教材の場合は、資格、受験対象や、初級・中級・上級などのレベルにより分類して蓄積されることができる。
【００３１】
利用者用データベース２３は、データ利用者ごとの個人情報を蓄積するデータベースである。データ利用者の個人情報としては、氏名（個人の場合）、名称（大口の場合。会社名、学校名など。）、住所又は居所、メールアドレス、年齢、クレジットカード自動決済の場合はクレジットカード番号などを挙げることができる。これらの個人情報は、ＩＤと共に蓄積されている。
利用者用データベース２３は、本システムの管理者により書き込みや変更が可能であり、また、先述したようにデータ利用者がデータ利用を初めてする際に利用データ検索送信手段１１により自動的に書き込まれることもできる。
【００３２】
提供者用データベース２５は、データ提供者ごとの個人情報を蓄積するデータベースである。データ提供者の個人情報としては、氏名（個人の場合）、名称（大口の場合。会社名、学校名など。）、住所又は居所、メールアドレス、年齢、銀行口座番号などを挙げることができる。これらの個人情報は、ＩＤと共に蓄積されており、データ利用者がデータ提供者でもある場合は、ＩＤにより利用者用データベース２３から個人情報を抽出し、新たに提供者用データベース２５にこれを蓄積することも可能である。
提供者用データベース２５は、本システムの管理者により書き込みや変更が可能であり、また、先述したようにデータ提供者がデータ提供を初めてする際に提供データ取込手段１３により自動的に書き込まれることもできる。
【００３３】
作成データ処理手段３１は、データ利用者が、該利用者のデータ利用者端末Ａに対し送信したデータを利用して作成した作成データを受信し、該作成データを提供したデータ提供者端末Ｂへ転送する。ここで、作成データとは、受験コミュニティの場合、英単語とその訳を対応させたデータにさらに例文を付与したものや、データ中に添付された模擬試験の解答などを挙げることができる。尚、データ提供者は、そのデータを提供した者と同一人物でなくとも良く、他の者、例えばコミュニティの管理者から採点を委託された者や、データを提供した者から指定された者などであっても良い。
作成データ処理手段３１は、受信したデータが送信したデータを利用して作成されたものであるかどうかを審査することにより、データを利用して作成されたもの以外の受信を効率よく排除することができるので、好ましい。審査は、前述した利用データ検索送信手段１１や提供データ取込手段１３の場合のように、データに対し付与された原著作者情報の有無により行うことができる。
【００３４】
作成データ処理手段３１は、作成データを受け付けるにあたり、データ利用者が本コミュニティを既に利用したことがあるか否かをデータ利用者用データベース２３においてチェックすることにより、データ利用者のコミュニティへの参加状況を管理することができるので、好ましい。
チェックの方法は特に限定されないが、例えば、作成データを受け付ける際にＩＤ入力画面を提示して、これにＩＤを入力させることによりチェックすることが可能である。
【００３５】
また、本コミュニティを利用したことがないデータ利用者の場合でも、例えばデータを他のデータ利用者からもらって、それをもとに作成データを作成して提出することがありうるので、作成データ処理手段３１は、そのデータ利用者の個人情報を検索し、後述の利用者用データベース２３に書き込むことが好ましい。個人情報の検索は、例えば資格試験コミュニティとしてのホームページにおいて、ＩＤ入力画面を提供し、ここに個人情報をも入力可能とし、該画面に利用者端末Ａから入力された個人情報を検索して利用者用データベース２３へ書き込むものとすることができる。
【００３６】
また、処理した作成データは、それを提出したデータ利用者を特定する情報と共に、作成データ用データベース３３に保存することが好ましい。データ利用者を特定する情報とは、ＩＤなどを挙げることができる。
【００３７】
提供者端末Ｂへの転送は、提供者用データベース２５から検索抽出した端末Ｂの利用者に連絡がつく送信先に転送することにより行うことができるが、前述の原著作権者確認の際に確認した基データの提供者のアドレスを提供者用データベース２５から検索抽出することが好ましい。
【００３８】
尚、作成データ処理手段３１は、データ利用者に対し処理の進行度合いを知らせるために、利用者端末Ａからの送信を指示するための第一の画面や、データ受信が完了したこと及びデータの内容の確認中であること及び確認が終了したことを示す第二の画面を提供することが好ましい。例えば、第一の画面としては、「模擬試験の答案をお送りください。」のメッセージを提示する画面を挙げることができ、第二の画面としては、「完了しました。データの内容を検討中です。」のメッセージを表示する画面、及び「本データは、受け付けることができません。」のメッセージを提示する画面などを挙げることができる。
【００３９】
作成データ用データベース３３は、作成データを蓄積する。この場合、作成データについて、該作成データを作成したデータ利用者名を特定する情報も蓄積することが好ましい。
【００４０】
集計データ処理手段３５は、データ提供者が、転送された作成データを基に集計した集計データを受信し、該集計データをデータ利用者端末Ａへ転送する。ここで、集計データとは、受験コミュニティの場合、データ中に添付された模擬試験の解答の添削、成績表、次に提出すべき課題などを挙げることができる。
集計データ処理手段３５があることは、集計データを受け付けるにあたり、データ提供者の真偽をチェックすることにより、データ利用者のコミュニティへの参加状況を管理することができるので、好ましい。
【００４１】
利用者端末Ａへの集計データの転送は、作成データ用データベース３３に保存された、提出したデータ利用者を特定する情報を基に、利用者用データベース２３から検索抽出した連絡がつく送信先に転送することにより行うことができる。
【００４２】
尚、集計データ処理手段３５は、データ提供者に対し処理の進行度合いを知らせるために、例えば「答案・成績表をお送りください。」のメッセージを表示する画面を提示することが好ましい。
また、データ利用者へ転送する際には、「採点の結果と成績表をお送りします。」のメッセージと共に集計データを送信することが好ましい。
【００４３】
次に、本発明のシステムの流れを、受験コミュニティを例にとって説明する。
まず、データ利用の際のデータ利用者の手順について図５を参照しながら説明する。
前提として、データ利用者（たとえば、大学受験を控える高校生）は、手元のデータ利用者端末Ａからネットワークに接続し、コミュニティのホームページにアクセスすると、タイトル「受験コミュニティ」とともに、「学習用教材の入手」（いわゆるデータ利用）、「学習用教材の提供」（いわゆるデータ提供）、「模擬試験答案提出」（作成データ提出）、及び「集計データ提出」などからメニューを選択できるメイン画面（図４参照）が表示される。「学習用教材の入手」を選択すると（ステップ１０１）、本コミュニティが取り扱う「大学受験」用、及び「高校受験」用教材を選択可能な画面（図２）が表示される。
そこで、高校生は、必要とする学習用教材の種類（ジャンル）を選択する（ステップ１０２）。例えば、「大学受験」を選択すると、学習用教材として、「センター試験用数学」、「私大理系用数学」、「国立大文系用古文」・・・などの学習用教材のリスト、「○○大学などの過去問を含めた３０問と模擬試験２回分が含まれています。」などの各教材の簡単な内容、及び「４．５ＭＢ」などの各教材のサイズ、利用料金、利用条件などが提示される（図３参照）。
これらの学習用教材の中で入手したいものがあった場合（ステップ１０３のＹｅｓ）はそれを指定すると（ステップ１０４）、データの利用料画面が表示されるので、これについて高校生が確認することを前提として、以下のステップ１０５へ進む。一方、入手したい学習用教材がなかった場合（ステップ１０３のＮｏ）は、操作を終了する。
次に、ＩＤ入力画面が表示されるので、高校生が、本コミュニティを既に利用したことがある場合は（ステップ１０５のＹｅｓ）、自分のＩＤを入力すると（ステップ１０６）、ダウンロードが開始され（ステップ１０７）、「完了しました」のメッセージと共にダウンロードが終了する。
一方、高校生が、利用したことがない場合は（ステップ１０５のＮｏ）、「本コミュニティの利用料は、月額○○円となっております。本コミュニティに入会されますと、ご希望のソフトがダウンロード可能です。入会されますか？」のメッセージが出るので、ＯＫすると（ステップ１０５−１のＹｅｓ）個人情報を入力し（ステップ１０５−２）、ステップ１０７へ進む（尚、ダウンロード終了時、ＩＤが提示される。）。一方、ＯＫしない場合は（ステップ１０５−１のＮｏ）、そのまま操作を終了する。
【００４４】
一方、データ利用の際の管理者側の手順について図６を参照しながら説明する。
利用データ検索送信手段１１は、タイトル「受験コミュニティ」とともに、「学習用教材の入手」（いわゆるデータ利用）、「学習用教材の提供」（いわゆるデータ提供）、「模擬試験答案提出」（作成データ提出）、及び「集計データ提出」などから選択できるメイン画面（図４参照）をホームページ上に提供している（ステップ２０１）。
データ利用者（前述の高校生）からアクセスがあり、上記メイン画面において、学習用教材の入手（いわゆるデータ利用）の選択があった場合、利用データ検索送信手段１１は、データ利用者端末Ａに対し、本コミュニティが取り扱う教材の種類（大学受験及び私大受験）が選択可能に表示される画面（図２）を送信する（ステップ２０２）。
続いて、高校生が、いずれかのジャンル（例えば、大学受験用教材）を選択したときには、大学受験に関する学習用教材の具体的なリストを表示する画面（図３）を送信する（ステップ２０３）。この画面で高校生が、入手したい学習用教材を選択すると、その教材を、データ用データベース２１から検索する（ステップ２０４）。すると、利用データ検索送信手段１１は、教材の利用料に対して合意を促す画面を提供し（ステップ２０５）、合意を得た場合には（ステップ２０６のＹＥＳ）ステップ２０７へ進み、一方、合意が得られなかった場合は（ステップ２０６のＮｏ）、操作を終了する。
次に、利用データ検索送信手段１１はＩＤ入力画面を送信し（ステップ２０７）、高校生がＩＤを入力した場合には（ステップ２０８のＹｅｓ）、利用データ検索送信手段１１は該ＩＤを基に利用者用データベース２３からその高校生のアドレスを検索・抽出し（ステップ２０９）、そのアドレスに学習用教材を送信する（ステップ２１０）。
高校生がＩＤを入力せずに個人情報を入力した場合には（ステップ２０８のＮｏ）、利用データ検索送信手段１１は、利用者用データベース２３にこれらの個人情報を登録し（ステップ２０８−１）、コミュニティ利用料確認画面を提示して（ステップ２０８−２）、利用者からＯＫの意思表示を受け取った場合は（ステップ２０８−３のＹｅｓ）、該個人情報中の連絡先に学習用教材を送信する（ステップ２０９）。ＯＫの意思表示がなかった場合は（ステップ２０８−３のＮｏ）、操作を終了する。
【００４５】
次に、受験コミュニティの例におけるデータ提供の際のデータ提供者の手順について図７を参照しながら説明する。
前提として、データ提供者は、手元のデータ利用者端末Ａからネットワークに接続し、コミュニティのホームページにアクセスすると、前述したようなメイン画面が表示されるので、学習用教材の提供を選択すると（ステップ３０１）、本コミュニティを既に利用したことがある場合は（ステップ３０２のＹｅｓ）、自分のＩＤを入力すると（ステップ３０３）、「データをお送りください。」のメッセージが出るので、データを送信する（ステップ３０４）。一方、利用したことがない場合は（ステップ３０２のＮｏ）、個人情報を入力し（ステップ３０３−１）、ステップ３０４へ進む。
データの送信が終了すると、「完了しました。データの内容を検討中です。」のメッセージを表示し、コミュニティで利用できる内容かどうかを検討する。暫くすると、コミュニティで利用できないデータの場合は（ステップ３０５のＮｏ）、「本データは、受け付けることができません。」のメッセージとともに、操作を終了する。コミュニティで利用可能なデータの場合は（ステップ３０５のＹｅｓ）、「コミュニティによる買い上げを希望されますか」のメッセージが提示されるので、希望する場合は（ステップ３０６のＹｅｓ）、「ご希望の対価を入力して下さい。」のメッセージと共に対価を記入する欄が表示されるので、対価（単価：○○円）を設定入力する（ステップ３０８）。この対価が妥当とコミュニティ管理者側が判断した場合は（ステップ３０９のＹｅｓ）、「○○円を銀行口座○○に□月◆日までにお振込みします」等のメッセージが示されるので（ステップ３０８）、操作を終了する。
一方、単価が妥当な額ではないとコミュニティ管理者側が判断した場合は（ステップ３０９のＮｏ）、「この対価では、お引き受けできません。もう一度対価を入力して下さい」のメッセージを表示する画面が表示されて、ステップ３０８に戻る。
対価の妥当であると判断した場合は（ステップ３０９のＹｅｓ）、暫くすると、データ提供者がデータ利用者としてコミュニティに参加したことがないと、「△△円となりますが、宜しいでしょうか？」のメッセージを表示し、またデータ利用者としてコミュニティに参加したことがあると、「コミュニティ利用料と相殺して支払または請求額が△◆円になります。銀行口座○○に□月◆日までにお振込みします。」等のメッセージが示され、操作を終了する。
買い上げを希望しない場合は（ステップ３０６のＮｏ）、データ提供者自らが価格設定をするようになり、「対価を入力して下さい。」のメッセージ表示に従って、データ提供者が対価を入力すると（ステップ３０７）、操作を終了する。
【００４６】
データ提供の際の管理者側の手順について図８を参照しながら説明する。
利用データ検索送信手段１１は、上記メイン画面をホームページ上に提供している（ステップ４０１）。データ提供者からアクセスがあり、上記メイン画面において、学習用教材の入手（いわゆるデータ利用）の選択があった場合、提供データ取込手段１３が起動する。該手段は、データ提供者端末Ｂに対し、ＩＤ入力画面を送信し（ステップ４０２）、データ提供者がＩＤを入力した場合には（ステップ４０３のＹｅｓ）、該ＩＤを基に提供者用データベース２５或いは利用者用データベース２３又は提供者用データベース２５からその提供者のアドレスを検索して確認し（ステップ４０４）、提供者用データベース２５にその提供者の個人情報が蓄積されていた場合（ステップ４０５のＮｏ）はそのままステップ４０７へ進むが、利用者用データベース２３にのみその提供者の個人情報が蓄積されていた場合は（ステップ４０５のＹｅｓ）、それを提供者用データベース２５にも転載して（ステップ４０６）、「データをお送りください。」のメッセージを表示する画面を、データ提供者端末Ｂに対し提供する（ステップ４０７）。
一方、データ提供者がＩＤを入力せずに個人情報を入力した場合には（ステップ４０３のＮｏ）、提供データ取込手段１３は、提供者用データベース２５にこれらの個人情報を入力し（ステップ４０３−１）、ステップ４０７へ進む。データ提供者のデータを管理者端末Ｃが受信したら（ステップ４０８）、「完了しました。データの内容を検討中です。」のメッセージが表示される画面をデータ提供者端末Ｂに提供する（ステップ４０９）。その間、提供データ取込手段１３は、その内容がコミュニティにおいて提供するのにふさわしい内容かどうかをチェックし、提供できる内容であれば（ステップ４１０のＹｅｓ）、請求・支払額決定手段１５を起動させる。請求・支払額決定手段１５は、まず、「コミュニティによる買い上げを希望されますか」のメッセージを表示する画面をデータ提供者端末Ｂに提供する（ステップ４１１）。
データ提供者が買い上げを希望する場合は（ステップ４１２のＹｅｓ）、「ご希望の対価を入力して下さい。」のメッセージと共に対価を記入する欄を表示する画面を提供する（ステップ４１２−１）。データ提供者が設定した対価（単価）が妥当かどうかを判断し、妥当な場合は（ステップ４１２−２のＹｅｓ）、ステップ４１３へ進み、「対価算出中です。」のメッセージを表示する画面をデータ提供者端末Ｂに提供する（ステップ４１３）。
単価が妥当な額ではなかった場合（ステップ４１２−２のＮｏ）、「この対価では、お引き受けできません。もう一度対価を入力して下さい。」のメッセージを表示すると共に対価を記入する欄を表示する画面を再度提供し、ステップ４１２−１に戻る。
その間、請求・支払額決定手段１５は、対価を決定し、データ提供者がデータ利用者としてコミュニティに参加したことがない場合は（ステップ４１４のＹｅｓ）、決定した対価△△円をそのまま提示して「データ提供に対する対価△△円は一件あたり○○円となりますが、宜しいでしょうか？」のメッセージを表示する画面をデータ提供者端末Ｂに提供する（ステップ４１５）。一方、データ利用者として参加したことがあるデータ提供者の場合は（ステップ４１４のＹｅｓ）、決定した対価△△円をコミュニティ利用額から差し引いた△◆円を提示して「コミュニティ利用料が△◆円に減額されますが、宜しいでしょうか？」のメッセージを表示する画面をデータ提供者端末Ｂに提供する（ステップ４１４−１）。
次に、対価確認画面を提示して（ステップ４１６）、ＯＫの意思表示があった場合は（ステップ４１７のＹｅｓ）、データをデータ用データベース２１に記憶させ（ステップ４１８）、データの受け取りを完了して操作を終了する。
一方、コミュニティで利用できるデータではない場合（ステップ４１０のＮｏ）及び対価にＯＫの意思表示がなかった場合は（ステップ４１７のＮｏ）、データの受け取りを中止して、操作を終了する。
一方、買い上げを希望しない場合は（ステップ４１２のＮｏ）、対価についてはデータ提供者が自ら決定することとなり、「対価を入力して下さい。」のメッセージ表示に従ってデータ提供者が対価を入力すると操作を終了する。
【００４７】
次に、作成データの処理の手順について図９を参照しながら説明する。
利用データ検索送信手段１１は、上記のように上記メイン画面をホームページ上に提供している（ステップ５０１）。データ利用者が、「模擬試験答案を提出する」を選択すると（ステップ５０２）、作成データ処理手段３１を起動させ、該手段は、データ利用者端末Ａに対し、ＩＤ入力画面を送信し（ステップ５０３）、データ利用者がＩＤを入力した場合には（ステップ５０４のＹｅｓ）、該ＩＤを基に利用者用データベース２３からその利用者のアドレスを検索して、コミュニティの利用者であることを確認し（ステップ５０５）、そのままステップ５０６へ進む。一方、データ提供者がＩＤを入力せずに個人情報を入力した場合には（ステップ５０４のＮｏ）、提供データ取込手段１３は、コミュニティ利用料確認画面を提示して（ステップ５０４−１）、利用者からＯＫの意思表示を受け取った場合は（ステップ５０４−２のＹｅｓ）、提供者用データベース２５にこれらの個人情報を登録し（ステップ５０４−３）、ステップ５０６へ進む。ＯＫの意思表示がなかった場合は（ステップ５０４−３のＮｏ）、操作を終了する。
作成データ処理手段３１は、「模擬試験の答案をお送りください。」のメッセージを表示する画面を、データ利用者端末Ａに対し提供する（ステップ５０６）。答案のデータを管理者端末Ｃが受信したら（ステップ５０７）、「完了しました。データの内容を検討中です。」のメッセージが表示される画面をデータ提供者端末Ｂに提供する（ステップ５０８）。その間、作成データ処理手段３１は、送られてきたデータがコミュニティのデータから作成されたものかどうか、原著作権者情報を基に確認し、確認できた場合は（ステップ５０９のＹｅｓ）、ステップ５１０に進むが、確認できなかった場合は（ステップ５０９のＮｏ）、「本データは、受け付けることができません。」のメッセージとともに、操作を終了する。
次に、作成データ処理手段３１は、この答案を作成データ用データベース３３に利用者のＩＤと共に記憶させ（ステップ５１０）、前述の原著作権者確認の際に確認した基データに含まれている採点者の連絡先を提供者用データベース２５から検索抽出する（ステップ５１１）。また、請求・支払額決定手段１５が作成データの集計（つまり、答案の採点や成績算出）に対する対価を算出決定する（ステップ５１２）。そして、作成データ処理手段３１は、該データ採点者の連絡先へ「模擬試験の答案の採点をお願いします。対価は、１週間以内であれば◆◆円、１週間を超えると○○円、１ヵ月を超えると◇◇円となります。」とメッセージを送り、採点者から同意があれば、該作成データを送信する（ステップ５１３）。
【００４８】
次に、集計データの処理の手順について図１０を参照しながら説明する。
利用データ検索送信手段１１は、上記のように上記メイン画面をホームページ上に提供している（ステップ６０１）。上記メイン画面において、作成データを送信して集計を依頼したデータ提供者が、集計データ（つまり、採点後の答案や成績表）の提出を選択すると（ステップ６０２）、集計データ処理手段３５が起動し、該手段は、データ採点者端末Ｂ（データ提供者と同一人物である場合もある。）に対し、ＩＤ入力画面を送信し（ステップ６０３）、データ採点者がＩＤを入力した場合には（ステップ６０４のＹｅｓ）、該ＩＤを基に提供者用データベース２５からその提供者のアドレスを検索して確認し（ステップ６０５）、そのままステップ６０６へ進む。データ採点者がＩＤを入力しない場合は（ステップ６０４のＹｅｓ）、処理を中止する。
集計データ処理手段３５は、「答案・成績表をお送りください。」のメッセージを表示する画面を、データ採点者端末Ｂに対し提供する（ステップ６０６）。答案等のデータを管理者端末Ｃが受信したら（ステップ６０７）、集計データ処理手段３５が、集計データの基となった作成データのデータ利用者のアドレスを作成データ用データベース３３に記録されたＩＤを基に利用者用データベース２３から抽出し（ステップ６０８）、そのデータ利用者へ「採点の結果と成績表をお送りします。」のメッセージと共に集計データを送信する（ステップ６０９）。
【産業上の利用可能性】
【００４９】
本発明により、データ利用者がデータ提供者の立場となることが容易となり、かつそれを促されるために、数多くのデータ提供者がその個性を生かし、データを提供することが期待される。そのことで、幅広い分野、目的にあったデータを容易に収集し、社会に提供できるようになる。
例えば、従来であれば、学習用ソフトでは、それに対応する学習用データの作成者は、無償でデータを作成し提供する例外的な提供者を除けば、学習ソフトを配布する者が依頼した特定のデータ提供者にほぼ限られていた。
そのため、従来の方法では、市場性の低い学習用データ、例えば日本語話者がウクライナ語を学習するための学習用データなどは、利用者にとっては大変重要であるにもかかわらず、ほとんど市場に供給されないという問題が生じていたが、本発明は、そのような問題を解決するものである。
本発明により、そのような特定の利用者にとっては重要でありながらも市場性の低いデータを自らの利用のために作成した者が、そのデータを市場に提供することにより容易に対価を受け取るというメリットを享受することが可能になるため、幅広いニーズにあったデータの流通が活発になるものと期待される。
また、本発明により、原著作者の著作物の配布により対価を受け取る権利を保護したまま他のデータ利用者がその著作物を加工し再配布することが容易になるので、特定の個人だけでは成し得なかった質の向上が図られたデータの活発な流通が期待される。
【図面の簡単な説明】
【００５０】
【図１】本発明の全体構成を示す図である。
【図２】利用者が利用したい用途を指定するための画面の一例を示す図である。
【図３】データ利用者が画面で指定した用途に合致したデータをダウンロード可能に提示する画面の一例を示す図である。
【図４】メイン画面の一例を示す図である。
【図５】データ利用の際のデータ利用者の手順を示すフローチャートである。
【図６】データ利用の際の管理者側の手順を示すフローチャートである。
【図７】データ提供の際のデータ提供者の手順を示すフローチャートである。
【図８】データ提供の際の管理者側の手順を示すフローチャートである。
【図９】作成データの処理の手順を示すフローチャートである。
【図１０】集計データの処理の手順を示すフローチャートである。
【符号の説明】
【００５１】
Ａ  データ利用者端末
Ｂ  データ提供者端末
Ｃ  管理者端末
１１  利用データ検索送信手段
１３  提供データ取込手段
１５  請求・支払額決定手段
２１  データ用データベース
２３  利用者用データベース
２５  提供者用データベース
３１  作成データ処理手段
３３  作成データ用データベース
３５  集計データ処理手段
【図１】
2005293216.tif 000003
【図２】
2005293216.tif 000004
【図３】
2005293216.tif 000005
【図４】
2005293216.tif 000006
【図５】
2005293216.tif 000007
【図６】
2005293216.tif 000008
【図７】
2005293216.tif 000009
【図８】
2005293216.tif 000010
【図９】
2005293216.tif 000011
【図１０】
2005293216.tif 000012